(57)【要約】      （修正有）【課題】パネル本体の熱膨張の吸収と、パネル本体に着脱可能な蓋体の脱落防止とを簡単な構成で両立させる。【解決手段】フロアパネル１は、複数枚の天板２１及び配線用溝部２２を有するパネル本体２と、前記配線用溝部２２を上方から覆う蓋体３とを備える。前記蓋体３は、本体部３１と、この本体部３１の両端部に垂下部３２とを有している。前記各垂下部３２には、当該垂下部３２の外側面３２ｂより突出する突出部３３を設ける。また、前記パネル本体２の天板２１には、前記蓋体３の各垂下部３２に対応する位置に貫通孔２３を設ける。そして、前記各垂下部３２の外側面３２ｂ同士間の寸法Ｌ２は、前記各貫通孔２３の外側に位置する縁２３ａ同士間の寸法Ｌ１よりも小さく、前記各突出部３３の先端３３ｂ同士間の寸法Ｌ３は、前記寸法Ｌ１よりも大きく、前記各垂下部３２は、前記寸法Ｌ３が前記寸法Ｌ１よりも小さくなるように内側に撓み可能に構成させる。【選択図】図５
2006200327.tif 000002
【特許請求の範囲】
【請求項１】
建造物の床面に敷き詰められるフロアパネルであって、所定の配列状態で並べられる複数枚の天板を有し、かつ、これらの天板同士の間で上方に開口する配線用溝部を有するパネル本体と、このパネル本体に装着されて前記配線用溝部を上方から覆う蓋体とを備え、
前記蓋体は、前記配線用溝部を跨った状態で前記天板上に載置される本体部と、この本体部の前記配線用溝部を跨る跨り方向の両端部から垂れ下がる垂下部とを有し、前記パネル本体の天板には、前記蓋体の各垂下部に対応する位置に当該垂下部が挿通可能な貫通孔が設けられ、前記各垂下部が前記各貫通孔に挿通されるとともに前記本体部が前記天板の上に載置された状態で前記各垂下部のうち前記各貫通孔を貫通する部分である貫通部の前記跨り方向の外側面同士の間の寸法は、前記跨り方向における前記各貫通孔の外側に位置する縁同士の間の寸法よりも小さく設定されており、
前記各垂下部には、前記貫通部よりも下側の位置に前記貫通部の外側面よりも外側に突出する突出部が設けられ、前記跨り方向における前記各突出部の先端同士の間の寸法は、前記跨り方向における前記各貫通孔の外側に位置する縁同士の間の寸法よりも大きく設定されており、前記各垂下部は、前記跨り方向における前記各突出部の先端同士の間の寸法が前記跨り方向における前記各貫通孔の外側に位置する縁同士の間の寸法よりも小さくなるように前記跨り方向の内側に撓み可能に構成されていることを特徴とするフロアパネル。
【請求項２】
前記蓋体の本体部及び各垂下部は単一の板材により構成され、前記各垂下部は前記板材の前記跨り方向の両端部がそれぞれ対向するように下方に折り曲げられて構成されていることを特徴とする請求項１に記載のフロアパネル。
【請求項３】
前記各突出部の下面は、下方に向かうに従って前記跨り方向の外側から内側に傾斜しており、前記跨り方向における前記各突出部の下面の下端同士の間の寸法は、前記跨り方向における前記各貫通孔の外側に位置する縁同士の間の寸法よりも小さく設定されていることを特徴とする請求項１または２に記載のフロアパネル。
【請求項４】
前記突出部は、半球状に突出する突起であることを特徴とする請求項３に記載のフロアパネル。
【請求項５】
前記パネル本体は平面視略正方形の形状を有し、このパネル本体の外周縁部を構成する各縁部には外側に突出するとともに内側に弾性変形可能な爪部が設けられていることを特徴とする請求項１〜４のいずれか１項に記載のフロアパネル。
【請求項６】
前記各縁部における爪部の位置は全ての縁部において略同一であることを特徴とする請求項５に記載のフロアパネル。
【発明の詳細な説明】
【技術分野】
【０００１】
本発明は、建造物の床面に敷き詰められるフロアパネルに関するものである。
【背景技術】
【０００２】
従来、建造物の床面には、電話線、ＬＡＮケーブル、電線等を配索するスペースを確保するために、二重床を形成するフロアパネルが敷き詰められ、これにより前記配線用スペースを確保することが行われている。
【０００３】
このフロアパネルとしては、例えば特許文献１に記載されているように、縦横に交差する配線用溝部を有するパネル本体と、このパネル本体に着脱可能に装着されて前記配線用溝部を上方から覆う蓋体とを備えたものが知られている。前記パネル本体には、前記配線用溝部を跨る形状の溝部が形成され、前記蓋体はこの溝部内に嵌め込まれるようになっている。前記蓋体は、前記パネル本体の溝部に嵌め込まれたときに当該蓋体の上面がパネル本体の上面と略同一平面上に位置した状態で前記配線用溝部の開口を塞ぐことにより、その上にカーペット等の床材を載置可能とするものである。
【特許文献１】特許第２８３５０１７号公報
【発明の開示】
【発明が解決しようとする課題】
【０００４】
前記フロアパネルにおいては、設置後に室温が上昇することによりパネル本体が熱膨張することがある。ここで、パネル本体に前記配線用溝部があれば、その溝幅が縮む方向にパネル本体が弾性変形して前記熱膨張を吸収することは可能である。
【０００５】
しかし、蓋体が配線用溝部に跨ってリジッドに固定されていると、パネル本体が配線用溝部の溝幅が縮む方向に弾性変形することができず、パネル本体の周囲が拘束されているとパネル本体の熱膨張でパネル本体が浮き上がることになる。
【０００６】
本発明は、このような事情に鑑み、パネル本体の熱膨張を吸収することができるフロアパネルを提供することを目的とする。
【課題を解決するための手段】
【０００７】
前記課題を解決するための手段として、前記蓋体がなければ前記パネル本体が熱膨張しても当該パネル本体が前記配線用溝部の溝幅が縮む方向に弾性変形可能であることに着目し、前記蓋体と当該蓋体が嵌り込むパネル本体の溝部の側面との間に前記弾性変形を許容するためのクリアランスを設け、このクリアランスで前記パネル本体の熱膨張を吸収することが考えられる。
【０００８】
しかし、このようにした場合にはパネル本体から蓋体が容易に外れてしまうため、輸送時等でのパネル本体からの蓋体の脱落を如何に防ぐかが問題となる。
【０００９】
本発明は、このような観点からなされたものであり、建造物の床面に敷き詰められるフロアパネルであって、所定の配列状態で並べられる複数枚の天板を有し、かつ、これらの天板同士の間で上方に開口する配線用溝部を有するパネル本体と、このパネル本体に装着されて前記配線用溝部を上方から覆う蓋体とを備え、前記蓋体は、前記配線用溝部を跨った状態で前記天板上に載置される本体部と、この本体部の前記配線用溝部を跨る跨り方向の両端部から垂れ下がる垂下部とを有し、前記パネル本体の天板には、前記蓋体の各垂下部に対応する位置に当該垂下部が挿通可能な貫通孔が設けられ、前記各垂下部が前記各貫通孔に挿通されるとともに前記本体部が前記天板の上に載置された状態で前記各垂下部のうち前記各貫通孔を貫通する部分である貫通部の前記跨り方向の外側面同士の間の寸法は、前記跨り方向における前記各貫通孔の外側に位置する縁同士の間の寸法よりも小さく設定されており、前記各垂下部には、前記貫通部よりも下側の位置に前記貫通部の外側面よりも外側に突出する突出部が設けられ、前記跨り方向における前記各突出部の先端同士の間の寸法は、前記跨り方向における前記各貫通孔の外側に位置する縁同士の間の寸法よりも大きく設定されており、前記各垂下部は、前記跨り方向における前記各突出部の先端同士の間の寸法が前記跨り方向における前記各貫通孔の外側に位置する縁同士の間の寸法よりも小さくなるように前記跨り方向の内側に撓み可能に構成されていることを特徴とするものである。
【００１０】
この構成によれば、蓋体の本体部におけるパネル本体の配線用溝部を跨る跨り方向の両端部から垂れ下がる各垂下部のうち前記パネル本体に設けられた各貫通孔を貫通する部分である貫通部の前記跨り方向の外側面同士の間の寸法は、前記跨り方向における前記各貫通孔の外側に位置する縁同士の間の寸法よりも小さく設定されているので、パネル本体が熱膨張したときには前記寸法差分配線用溝部の溝幅が縮む方向にパネル本体が弾性変形可能であり、これにより前記熱膨張を吸収することができる。また、前記各垂下部には、前記貫通部よりも下側の位置に前記貫通部の外側面よりも外側に突出する突出部が設けられ、前記跨り方向における前記各突出部の先端同士の間の寸法は、前記跨り方向における前記各貫通孔の外側に位置する縁同士の間の寸法よりも大きく設定されているので、蓋体が当該蓋体の本体部がパネル本体の天板上に載置された状態で垂下部が貫通孔から抜け出る方向に移動しようとしても前記突出部が前記天板の裏面に当たるためパネル本体からの蓋体の脱落が防止される。さらに、前記各垂下部は、前記跨り方向における前記各突出部の先端同士の間の寸法が前記跨り方向における前記各貫通孔の外側に位置する縁同士の間の寸法よりも小さくなるように前記跨り方向の内側に撓み可能に構成されているので、蓋体の垂下部を前記跨り方向の内側に撓ませれば前記突出部が前記貫通孔を通過できるようになるため蓋体をパネル本体に着脱することができる。よって、パネル本体の熱膨張の吸収とパネル本体に着脱可能な蓋体のパネル本体からの脱落防止とを簡単な構成で両立することができる。
【００１１】
ここで、前記垂下部は例えば柱状の形状に形成され、この垂下部が本体部に溶接等で固定されていてもかまわないが、前記蓋体の本体部及び各垂下部は単一の板材により構成され、前記各垂下部は前記板材の前記跨り方向の両端部がそれぞれ対向するように下方に折り曲げられて構成されていれば、前記垂下部を簡単な構成で跨り方向の内側に撓み可能とすることができる。
【００１２】
また、前記各突出部の下面は、下方に向かうに従って前記跨り方向の外側から内側に傾斜しており、前記跨り方向における前記各突出部の下面の下端同士の間の寸法は、前記跨り方向における前記各貫通孔の外側に位置する縁同士の間の寸法よりも小さく設定されていることが好ましい。
【００１３】
この構成によれば、前記垂下部の下端を前記貫通孔に差し込んだ状態で蓋体を下方に押し込めば、前記突出部が前記貫通孔の縁に押されて前記垂下部が自動的に内側に撓むため、簡単に蓋体をパネル本体に装着することができる。
【００１４】
前記下面が傾斜した突出部としては、例えば前記垂下部を一旦前記跨り方向の外側に折り曲げ、さらにその下側で前記垂下部を前記跨り方向の内側に折り曲げて構成することも可能であるが、前記突出部を半球状に突出する突起とすれば、より円滑に垂下部を貫通孔に挿入することができる。
【００１５】
また、前記パネル本体は平面視略正方形の形状を有し、このパネル本体の外周縁部を構成する各縁部には外側に突出するとともに内側に弾性変形可能な爪部が設けられていることが好ましい。
【００１６】
この構成によれば、爪部によってもパネル本体の熱膨張を吸収することができ、熱膨張吸収の信頼性を向上させることができる。
【００１７】
さらに、前記各縁部における爪部の位置は全ての縁部において略同一であることが好ましい。
【００１８】
この構成によれば、複数のフロアパネルを並べて敷き詰めると、隣接するフロアパネル同士はどの縁部同士が対向しても爪部同士が当接して隣接するパネル本体同士の間にはその並び方向に複数の爪部が介在することになり、さらにパネル本体の熱膨張を効果的に吸収することができる。
【発明の効果】
【００１９】
以上説明したように、本発明は、パネル本体の貫通孔及び蓋体の本体部の両端部から垂れ下がる内側に撓み可能な垂下部並びに各垂下部に設けられた突出部によってパネル本体の熱膨張の吸収とパネル本体に着脱可能な蓋体のパネル本体からの脱落防止とを簡単な構成で両立することができる。
【発明を実施するための最良の形態】
【００２０】
以下、本発明を実施するための最良の形態について、図面を参照しながら詳細に説明する。
【００２１】
図１〜４に示すように、本発明の一実施形態に係るフロアパネル１は、パネル本体２と、このパネル本体２に装着される蓋体３，４とを備えている。
【００２２】
前記パネル本体２は、例えばＰＰ（ポリプロピレン）等の合成樹脂によりモールド成形されたものであり、平面視略正方形の形状を有している。このパネル本体２は、所定の配列状態で並べられる複数枚（図例では４枚）の天板２１と、これらの天板２１同士の間で上方に開口する配線用溝部２２とを有している。
【００２３】
前記各天板２１は、平面視略正方形の形状を有している。これらの天板２１は略同一平面上でマトリクス状に並べられており、隣接する天板２１同士の間の距離は全て略同一に設定されている。これにより、前記パネル本体２は平面視略正方形状をなしているとともに、前記配線用溝部２２は縦横に延びてパネル本体２の中央で交差している。そして、前記配線用溝部２２のうち縦または横に延びる部分は前記蓋体３によって上方から覆われ、交差する部分は前記蓋体４によって上方から覆われるようになっている。
【００２４】
なお、本実施形態では、前記各天板２１における前記配線用溝部２２に臨む縁部で挟まれるコーナー部は円弧状に形成されている。
【００２５】
前記各天板２１の下面には、当該下面から下方に延びる複数の筒状の支柱２５が連設されている。これらの支柱２５は、全ての支柱２５の底面が略同一平面上に位置する形状に形成されているとともに、マトリクス状に配置されており、隣接する支柱２５同士はリブ２６によって連結されている。
【００２６】
前記リブ２６の高さは、前記支柱２５の高さの半分程度に設定されており、その上端部は前記天板２１の裏面に連結されている。また、前記リブ２６は、前記支柱２５のうち前記天板２１の外周に沿って配置された支柱２５における天板２１の外側に位置する外側面同士を連結する位置にも配設されており、この位置に配設されたリブ２６´の外側面と前記支柱２５の外側面とで前記天板２１の外周縁部に沿った切れ目のない周壁面が構成されている。
【００２７】
なお、本実施形態では、前記天板２１の円弧状に形成されたコーナー部に対応する位置に配置された支柱２５における前記配線用溝部２２に面する外側面は円弧状に形成されている。
【００２８】
また、前記支柱２５のうち前記天板２１の四隅に位置する支柱２５には、その内部に縦横に延びるリブが設けられており、このリブは下端の中央部分が前記支柱２５の底面よりも下方に突出する形状に形成されて、当該中央部分が接地部２５ａとして構成されている。この接地部２５ａは、前記パネル本体２が載置される構造物の床面５（図１０参照）に多少の不陸があった場合でも、当該パネル本体２ががたつくことがないようにするためのものである。
【００２９】
前記各天板２１同士の間の下方には、前記配線用溝部２２に臨む支柱２５の下端部同士を縦横に連結する連結板２７，２７´が配設されている。本実施形態では、隣接する天板２１同士の間の下方に位置する矩形状の連結板２７と、前記各天板２１の円弧状のコーナー部で囲まれる空間の下方に位置する略正方形状の連結板２７´とが配設されている。これらの連結板２７，２７´の適所には、当該連結板２７，２７´を板厚方向に貫通する窓２７ａが形成されて、当該連結板２７，２７´の軽量化及び剛性の低減化が図られている。
【００３０】
このように、前記連結板２７，２７´が前記配線用溝部２２に臨む支柱２５の下端部同士を連結することにより、前記連結板２７，２７´の上面が前記配線用溝部２２の底面を構成するとともに、前記支柱２５における配線用溝部２２に面する外側面と前記リブ２６´における配線用溝部２２に面する外側面とが前記配線用溝部２２の両側面を構成している。
【００３１】
また、前記各天板２１には、前記配線用溝部２２に臨む縁部に沿ったＬ字状の切り込み２１ａが設けられている。この切り込み２１ａは、当該切り込み２１ａに沿って天板２１及び前記リブ２６を切断して天板２１の一部を取り除くことにより、当該天板２１の一部が取り除かれた部分から配線材等を前記天板２１の下方から上方に引出すためのものである。
【００３２】
次に、図５〜７を参照して、前記蓋体３，４の構造及び当該蓋体３，４がパネル本体２に装着される部分の構造について具体的に説明する。
【００３３】
前記各天板２１は前記配線用溝部２２に臨む縁部の上面が中央部分の上面よりも一段低くなった段差部２１ｂを有しており、この段差部２１ｂ上に前記蓋体３，４が載置可能となっている。この段差部２１ｂの上面と前記中央部分の上面との間の段差は、後述する蓋体３，４の本体部３１，４１の板厚と略同一寸法に設定されており、前記段差部２１ｂ上に前記蓋体３，４が載置されたときに当該蓋体３，４の上面と前記天板２１の中央部分の上面とが略同一平面上に位置するようになっている。また、前記各天板２１の段差部２１ｂの上面と前記中央部分の上面とをつなぐ側面２１ｃ同士の間の距離は、当該側面２１ｃで挟まれる空間内に前記蓋体３，４が遊嵌した状態で嵌り込むことができる程度に設定されている。
【００３４】
前記蓋体３，４のうち前記配線用溝部２２の縦または横に延びる部分を上方から覆う蓋体３は、図５及び図６に示すように、前記配線用溝部２２をその溝幅方向に跨った状態で前記天板２１の段差部２１ｂ上に載置される本体部３１と、この本体部３１の前記配線用溝部２２を跨る跨り方向、すなわち前記配線用溝部２２の溝幅方向の両端部から垂れ下がる垂下部３２とを有している。
【００３５】
前記本体部３１は、平面視略矩形状の板状体である。また、前記各垂下部３２は、前記配線用溝部２２を挟んで互いに対向する板片で構成され、断続的に適所に配されている。このような本体部３１と垂下部３２とを有する蓋体３は、所定形状の板材の両端部を折り曲げ形成することにより、単一の板材で構成することができる。
【００３６】
前記天板２１の段差部２１ｂには、前記各垂下部３２に対応する位置に前記垂下部３２が挿通可能な貫通孔２３が設けられている。これらの貫通孔２３における前記配線用溝部２２の溝幅方向の外側に位置する縁２３ａ同士の間の寸法Ｌ１は、常温よりも低い温度の下で、前記各垂下部３２のうち前記本体部３１が前記段差部２１ｂの上に載置された状態で前記各貫通孔２３を貫通する部分である貫通部３２ａにおける前記配線用溝部２２の溝幅方向の外側面３２ｂ同士の間の寸法Ｌ２よりも大きく設定されている。
【００３７】
また、前記各垂下部３２には、前記貫通部３２ａよりも下側の位置に当該貫通部３２ａの外側面３２ｂよりも外側に突出する突出部３３が設けられている。本実施形態では、これらの突出部３３は半球状の突起によって構成されている。そして、これらの突出部３３の先端３３ｂ同士の間の寸法Ｌ３（前記配線用溝部２２の溝幅方向の寸法）は、前記各貫通孔２３の縁２３ａ同士の間の寸法Ｌ１よりも大きく設定されている。
【００３８】
さらに、前記各垂下部３２は、前記各突出部３３の先端３３ｂ同士の間の寸法Ｌ３が前記各貫通孔２３の縁２３ａ同士の間の寸法Ｌ１よりも小さくなるように前記配線用溝部２２の溝幅方向の内側に弾性変形して撓み可能になっている。
【００３９】
一方、前記蓋体３，４のうち前記配線用溝部２２の交差する部分を上方から覆う蓋体４は、図７に示すように、前記配線用溝部２２を前記各天板２１のうち対角に位置する天板２１同士を結ぶ方向（以下、単に対角方向という）に跨った状態で前記天板２１の段差部２１ｂ上に載置される本体部４１と、この本体部４１の前記配線用溝部２２を跨る跨り方向、すなわち前記対角方向の両端部から垂れ下がる垂下部４２とを有している。
【００４０】
前記本体部４１は、平面視略十字状の板状体である。また、前記各垂下部４２は、前記配線用溝部２２を挟んで前記対角方向で互いに対向する板片で構成されている。このような本体部４１と垂下部４２とを有する蓋体４は、前記蓋体３と同様に所定形状の板材を折り曲げ形成することにより、単一の板材で構成することができる。
【００４１】
前記天板２１の段差部２１ｂには、前記各垂下部４２に対応する位置に前記垂下部４２が挿通可能な貫通孔２３´が設けられている。これらの貫通孔２３´における前記対角方向の外側に位置する縁同士の間の寸法Ｌ１´は、常温よりも低い温度の下で、前記各垂下部４２のうち前記本体部４１が前記段差部２１ｂの上に載置された状態で前記各貫通孔２３´を貫通する部分である貫通部４２ａにおける前記対角方向の外側面同士の間の寸法Ｌ２´よりも大きく設定されている。
【００４２】
また、前記各垂下部４２には、前記蓋体３の垂下部３２と同様に前記貫通部４２ａよりも下側の位置に当該貫通部４２ａの外側面よりも外側に突出する半球状の突起からなる突出部４３が設けられている。そして、これらの突出部４３の先端同士の間の寸法Ｌ３´（前記対角方向の寸法）は、前記各貫通孔２３´の縁同士の間の寸法Ｌ１´よりも大きく設定されている。
【００４３】
さらに、前記各垂下部４２は、前記各突出部４３の先端同士の間の寸法Ｌ３´が前記各貫通孔２３´の縁同士の間の寸法Ｌ１´よりも小さくなるように前記対角方向の内側に弾性変形して撓み可能になっている。
【００４４】
さらに、本実施形態では、前記パネル本体２の外周縁部を構成する各縁部に、前記パネル本体２の熱膨張を吸収するための爪部２４が設けられている。
【００４５】
本実施形態では、前記爪部２４は前記各縁部に４個ずつ設けられており、前記各縁部における爪部２４の位置は全ての縁部において略同一となっている。
【００４６】
前記爪部２４は、前記天板２１及びリブ２６´が外側から略コ字上に切り込まれたような形状になっており、前記リブ２６´と連結されている。これにより、前記爪部２４は内側（図８では左側）に弾性変形可能となっている。また、前記爪部２４の外側の端部２４ａは、前記天板２１の外周縁部よりも外側に突出している。
【００４７】
このため、図９及び図１０に示すように複数のフロアパネル１を構造物の床面５に並べて敷き詰めると、隣接するフロアパネル１同士はどの縁部同士が対向しても前記爪部２４の端部２４ａ同士が当接し、各フロアパネル１の天板２１同士の間に所定のクリアランスが形成されることになる。
【００４８】
以上説明したフロアパネル１では、前記蓋体３においては、前記配線用溝部２２の溝幅方向における前記各突出部３３の先端３３ｂ同士の間の寸法Ｌ３が前記各貫通孔２３の外側に位置する縁２３ａ同士の間の寸法Ｌ１よりも大きく設定されているが、前記突出部３３が設けられた各垂下部３２は前記配線用溝部２２の溝幅方向における前記各突出部３３の先端３３ｂ同士の間の寸法Ｌ３が前記各貫通孔２３の外側に位置する縁２３ａ同士の間の寸法Ｌ１よりも小さくなるように前記配線用溝部２２の溝幅方向の内側に撓み可能に構成されているので、前記各垂下部３２を前記配線用溝部２２の内側に撓ませれば前記突出部３３が前記貫通孔２３を通過できるようになるため蓋体３をパネル本体２に装着することができる。しかも、前記突出部３３は半球状の突起で構成されているので、前記各垂下部３２の下端部を前記各貫通孔２３に差し込んだ状態で前記蓋体３を下方に押し込めば、前記突出部３３が前記貫通孔２３の縁２３ａに押されて前記垂下部３２が自動的に内側に撓むため、簡単に蓋体３をパネル本体２に装着することができる。そして、前記突出部３３が前記貫通孔２３を通過すると、前記垂下部３２が復帰して、前記突出部３３によって前記蓋体３の前記パネル本体２からの外れ防止が図られる。すなわち、前記垂下部３２が前記貫通孔２３から抜け出る方向に移動しようとしても前記突出部３３が前記天板２１の裏面に当たるため、輸送時等でのパネル本体２からの蓋体３の脱落が防止される。
【００４９】
また、前記蓋体３を前記パネル本体２から取外すときは、蓋体３を上方に持ち上げるだけで、前記突出部３３が前記貫通孔２３の縁２３ａに押されて前記垂下部３２が自動的に内側に撓むため、簡単に蓋体３をパネル本体２から取外すことができる。
【００５０】
以上説明した作用は、蓋体４も蓋体３と同様の構成であるので、蓋体４でも同様に得ることができる。
【００５１】
さらに、本実施形態のフロアパネル１では、蓋体３の本体部３１がパネル本体２の配線用溝部２２を跨る方向、すなわち配線用溝部２２の溝幅方向における各垂下部３２の貫通部３２ａの外側面３２ｂ同士の間の寸法Ｌ２が常温よりも低い温度の下で各貫通孔２３の縁２３ａ同士の間の寸法Ｌ１よりも小さく設定され、かつ、蓋体４の本体部４１がパネル本体２の配線用溝部２２を跨る方向、すなわち前記対角方向における各垂下部４２の貫通部４２ａの外側面同士の間の寸法Ｌ２´が常温よりも低い温度の下で各貫通孔２３´の縁同士の間の寸法Ｌ１´よりも小さく設定されているので、設置環境温度が上昇してパネル本体２が熱膨張したときには前記寸法差分配線用溝部２２の溝幅が縮む方向にパネル本体２が弾性変形可能であり、これにより前記熱膨張を吸収することができる。
【００５２】
従って、パネル本体２の熱膨張の吸収とパネル本体２に着脱可能な蓋体３，４のパネル本体２からの脱落防止とを簡単な構成で両立することができる。
【００５３】
また、本実施形態のフロアパネル１では、前記パネル本体２の外周縁部を構成する各縁部に外側に突出するとともに内側に弾性変形可能な爪部２４が設けられているので、爪部２４によってもパネル本体２の熱膨張を吸収することができ、熱膨張吸収の信頼性を向上させることができる。
【００５４】
そして、前記各縁部における爪部２４の位置は全ての縁部において略同一であるので、複数のフロアパネル１を並べて敷き詰めたときに隣接するフロアパネル１同士はどの縁部同士が対向しても爪部２４同士が当接して隣接するパネル本体２同士の間にはその並び方向に複数の爪部２４が介在することになり、さらにパネル本体２の熱膨張を効果的に吸収することができる。
【００５５】
なお、本発明のフロアパネル１は、前述した実施形態に限定されることなく、種々の変更が可能である。
【００５６】
例えば、前記蓋体３，４の各垂下部３２，４２は、図５〜７に示したように、必ずしも本体部３１，４１の両端部から当該本体部３１，４１と直交する方向に垂れ下がっている必要はなく、図１１に示すように、下方に向かうに従って前記本体部３１が前記配線用溝部２２を跨る跨り方向の外側に広がるように垂れ下がっていてもよい。
【００５７】
この場合には、前記垂下部３２，４２を前記貫通孔２３，２３´における本体部３１，４１が配線用溝部２２を跨る跨り方向の外側に位置する縁を越えた位置で前記跨り方向の内側に折り曲げれば、簡単に前記突出部３３，４３を形成することができる。
【００５８】
そして、前記各突出部３３，４３の下面３３ａ，４３ａの下端同士の間の寸法Ｌ４（前記跨り方向の寸法）を前記各貫通孔２３，２３´の外側に位置する縁同士の間の寸法Ｌ１，Ｌ１´よりも小さく設定しておけば、前記実施形態と同様に前記蓋体３，４を下方に押し込むだけで前記垂下部３２，４２を自動的に内側に撓ませることができる。
【００５９】
ただし、前記実施形態のように前記突出部３３，４３を半球状の突起とすれば、より円滑に垂下部３２，４３を貫通孔２３，２３´に挿入することができる。
【００６０】
また、前記垂下部３２，４２は例えば柱状の形状に形成され、この垂下部３２，４２が本体部３１，４１に溶接等で固定されていてもよい。ただし、前記実施形態のように前記蓋体３，４の本体部３１，４１及び各垂下部３２，４２が単一の板材により構成され、前記各垂下部３２，４２が前記板材の前記跨り方向の両端部がそれぞれ対向するように下方に折り曲げられて構成されていれば、前記垂下部３２，４２を簡単な構成で前記跨り方向の内側に撓み可能とすることができる。
【００６１】
さらには、パネル本体２の天板２１を平面視略長方形状のもの２枚として、それらを長辺同士が対向するように並べ、配線用溝部２２が前記各天板２１の間で１本だけ延びるような構成としてもよい。
【図面の簡単な説明】
【００６２】
【図１】本発明の一実施形態に係るフロアパネルの平面図である。
【図２】前記フロアパネルの側面図である。
【図３】前記フロアパネルの下面図である。
【図４】前記フロアパネルの分解斜視図である。
【図５】図１におけるＶ−Ｖ線断面図である。
【図６】図５の要部拡大図である。
【図７】図１におけるＶＩＩ−ＶＩＩ線断面図である。
【図８】図１におけるＸ−Ｘ線断面図である。
【図９】前記フロアパネルを床面に設置したときの状態を示す平面図である。
【図１０】前記フロアパネルを床面に設置したときの状態を示す側面図である。
【図１１】別の実施形態に係るフロアパネルの要部拡大断面図である。
【符号の説明】
【００６３】
１  フロアパネル
２  パネル本体
２１  天板
２１ｂ  段差部
２２  配線用溝部
２３，２３´  貫通孔
２３ａ  縁
２４  爪部
２５  支柱
２６，２６´  リブ
２７  連結板
３，４  蓋体
３１，４１  本体部
３２，４２  垂下部
３２ａ，４２ａ  貫通部
３３，４３  突起
３３ａ  下面
３３ｂ  先端
５  床面
【図１】
2006200327.tif 000003
【図２】
2006200327.tif 000004
【図３】
2006200327.tif 000005
【図４】
2006200327.tif 000006
【図５】
2006200327.tif 000007
【図６】
2006200327.tif 000008
【図７】
2006200327.tif 000009
【図８】
2006200327.tif 000010
【図９】
2006200327.tif 000011
【図１０】
2006200327.tif 000012
【図１１】
2006200327.tif 000013